(57)【特許請求の範囲】
【請求項１】
駆動状態の測定対象物(1)の付近に設置されたマイクロフォン(3)と、前記マイクロフォン(3)に接続され、前記マイクロフォン(3)で得た前記測定対象物(1)の駆動中の音圧(1A)を収集するためのデータロギングシステム(4)と、前記データロギングシステム(4)に接続され、前記音圧(1A)を振動加速度(5A)に変換するための音圧／振動加速度算定システム(5)と、前記音圧／振動加速度算定システム(5)に接続され、前記振動加速度(5A)が予め設定された異常閾値(TH)以下か以上であるかを判定するための故障予知システム(6)と、を備え、
前記測定対象物(1)の振動加速度(5A)を、前記測定対象物(1)に対して非接触状態で計測すると共に、計算を行いながら振動加速度データ(5A)を蓄積し、前記故障予知システム(6)では、音圧／振動加速度算定システム(5)で算定した振動加速度データ(5A)を用いて事前に設定しておいた異常となる異常閾値(TH)をこえたことを検出する構成としたことを特徴とする非接触振動測定による故障診断装置。
【請求項２】
駆動状態の測定対象物(1)の付近に設置されたマイクロフォン(3)と、前記マイクロフォン(3)に接続され、前記マイクロフォン(3)で得た前記測定対象物(1)の駆動中の音圧(1A)を収集するためのデータロギングシステム(4)と、前記データロギングシステム(4)に接続され、前記音圧(1A)を振動加速度(5A)に変換するための音圧／振動加速度算定システム(5)と、前記音圧／振動加速度算定システム(5)に接続され、前記振動加速度(5A)が予め設定された異常閾値(TH)以下か以上であるかを判定するための故障予知システム(6)と、を用い、
前記測定対象物(1)の振動加速度(5A)を、前記測定対象物(1)に対して非接触状態で計測すると共に、計算を行いながら振動加速度データ(5A)を蓄積し、前記故障予知システム(6)では、音圧／振動加速度算定システム(5)で算定した振動加速度データ(5A)を用いて事前に設定しておいた異常となる異常閾値(TH)をこえたことを検出することを特徴とする非接触振動測定による故障診断方法。
【発明の詳細な説明】
【技術分野】
【０００１】
本発明は、非接触振動測定による故障診断装置及び方法に関し、特に、駆動中の測定対象物の付近に設けられたマイクロフォンによりその音圧を得て、この音圧から得た振動加速度により前記測定対象物の故障の予知を行うための新規な改良に関する。
【背景技術】
【０００２】
従来の振動測定では、測定対象物に直接、加速度センサを設置する必要があるため、駆動している箇所に加速度センサを設置するのは、センサの配線の引き回しや、設置箇所に大きな制約が生じてしまい、計測自体が困難な場合が多かった。
更に、駆動している対象物に対しては、特許文献１のように、回転中の駆動系部品に対して速度変動を計測するため、非接触形磁気センサを用いているが、前後方向に駆動している測定物に対しては、一定の計測ギャップを保ちながら計測を行えず、正常に速度変動を計測できず、そのため、加速度センサをつけた計測を想定した場合においても計測が正常に行えないことが考えられる。
その他の非接触による測定方法として、特許文献２では、摺動部を有する可動機構部が潤滑油に満たされている必要があるという非常に限定的な構造で計測を行っており、汎用的に非接触に測定できない。
【先行技術文献】
【特許文献】
【０００３】
【特許文献１】特開２０００−９７８１３号公報
【特許文献２】特開２０００−２４１２９５号公報
【発明の概要】
【発明が解決しようとする課題】
【０００４】
従来の特許文献１及び２に開示された構成では、次のような課題が存在していた。
すなわち、前述の特許文献１の構成においては、回転中の駆動系部品に対して回転速度変動を計測するため、非接触形の磁気センサを用いているが、本願のように、前後方向又は振子式に駆動している測定対象物に対しては、その直線往復動作の速度変動を正確に計測することは困難であった。
【０００５】
また、潤滑油で潤滑される摺動部を有してなる可動機構の検査を、潤滑油中に含有される異物に基づいて行うための可動機構検査方法に関して提供されたものである。
この検知方法として２次元超音波アレイセンサを備えており、潤滑油中に含有される異物を立体的に、かつ、リアルタイムで把握することが可能となっていた。
【０００６】
本発明は、上記のような従来のものの課題を解決するためになされたもので、特に、音圧データからこの振動加速度を算出することで、非接触の状態でも駆動している測定対象物の振動状態を計測でき、このデータを用いて駆動初期からの振動の経時変化を比較することで、駆動している測定対象物が大きく振動していれば、機構上に何らかのガタ等の問題点が発生していると考えられ、故障診断として用いるようにした非接触振動測定による故障診断装置及び方法を提供することを目的とする。
【課題を解決するための手段】
【０００７】
本発明による非接触振動測定による故障診断装置は、駆動状態の測定対象物の付近に設置されたマイクロフォンと、前記マイクロフォンに接続され、前記マイクロフォンで得た前記測定対象物の駆動中の音圧を収集するためのデータロギングシステムと、前記データロギングシステムに接続され、前記音圧を振動加速度に変換するための音圧／振動加速度算定システムと、前記音圧／振動加速度算定システムに接続され、前記振動加速度が予め設定された異常閾値以下か以上であるかを判定するための故障予知システムと、を備え、前記測定対象物の振動加速度を、前記測定対象物に対して非接触状態で計測すると共に、計算を行いながら振動加速度データを蓄積し、前記故障予知システムでは、音圧／振動加速度算定システムで算定した振動加速度データを用いて事前に設定しておいた異常となる異常閾値をこえたことを検出する構成としたことを特徴とする非接触振動測定による故障診断装置であり、また、駆動状態の測定対象物の付近に設置されたマイクロフォンと、前記マイクロフォンに接続され、前記マイクロフォンで得た前記測定対象物の駆動中の音圧を収集するためのデータロギングシステムと、前記データロギングシステムに接続され、前記音圧を振動加速度に変換するための音圧／振動加速度算定システムと、前記音圧／振動加速度算定システムに接続され、前記振動加速度が予め設定された異常閾値以下か以上であるかを判定するための故障予知システムと、を用い、前記測定対象物の振動加速度を、前記測定対象物に対して非接触状態で計測すると共に、計算を行いながら振動加速度データを蓄積し、前記故障予知システムでは、音圧／振動加速度算定システムで算定した振動加速度データを用いて事前に設定しておいた異常となる異常閾値をこえたことを検出することを特徴とする非接触振動測定による故障診断方法である。
【発明の効果】
【０００８】
本発明による非接触振動測定による故障診断装置及び方法は、以上のように構成されているため、次のような効果を得ることができる。
すなわち、駆動状態の測定対象物の付近に設置されたマイクロフォンと、前記マイクロフォンに接続され、前記マイクロフォンで得た前記測定対象物の駆動中の音圧を収集するためのデータロギングシステムと、前記データロギングシステムに接続され、前記音圧を振動加速度に変換するための音圧／振動加速度算定システムと、前記音圧／振動加速度算定システムに接続され、前記振動加速度が予め設定された異常閾値以下か以上であるかを判定するための故障予知システムと、を備え、前記測定対象物の振動加速度を、前記測定対象物に対して非接触状態で計測する構成と方法であるため、マイクロフォンとデータロギングシステムを介して得られた時々刻々の音圧データより、駆動中の測定対象物の振動加速度データをリアルタイムに算出することで、駆動中の測定対象物の故障状況を定量的に把握することが可能となり、迅速な故障予知ができる。
また、駆動中の測定対象物は、振動することにより音圧を発生するため、その音圧をマイクロフォンで計測され、その計測された音圧は、データロギングシステムに収集されながら、計算機により時々刻々の振動加速度を計算し、振動加速度のデータとして保存される。そして、算定された振動加速度データに対して、上下限異常設定値、すなわち、異常閾値を設けて比較していき、上下限異常値を越えれば、警報を発報することで故障診断を行うことができる。
従って、警報の発生により、測定対象物のグラツキ等の故障の有無を容易に知ることができ、測定対象物を有する装置全体の故障を未然に得て、例えば、装置全体の安全運転の実現に供することができる。
【図面の簡単な説明】
【０００９】
【図１】本発明による非接触振動測定による故障診断装置及び方法を示すための概略構成図である。
【図２】図１における振動加速度の正常時と異常時の状態を示す波形図である。
【発明を実施するための形態】
【００１０】
本発明による非接触振動測定による故障診断装置及び方法は、駆動中の測定対象物の付近に設けられたマイクロフォンによりその音圧を得て、この音圧から得た振動加速度により前記測定対象物の故障の予知を行うことである。
【実施例】
【００１１】
以下、図面と共に本発明による非接触振動測定による故障診断装置及び方法の好適な実施の形態について説明する。
図１において符号１で示されるものは、工作機及び自動車等の大型の装置２の一部として設けられている各種部品等からなる測定対象物であり、前記測定対象物１は、矢印Ａで示される往復方向に沿って駆動する駆動状態Ｂとなるように構成されている。
前記測定対象物１の駆動状態Ｂは、矢印Ａに沿って前記測定対象物１全体が、例えば、図示しない台座上において台座と共に水平状に往復駆動状態となるように構成されている。
また、前記測定対象物１は、例えば、下部が軸支されていて、左右方向Ｃに沿って往復回動するように構成することもできる。
【００１２】
前記測定対象物１の付近には、マイクロフォン３が設けられ、このマイクロフォン３にはデータロギングシステム４を介して音圧／振動加速度算定システム５が接続されており、前記音圧／振動加速度算定システム５は故障予知システム６に接続されている。
【００１３】
次に、前述の本発明による非接触振動測定による故障診断装置及び方法の動作について述べる。
まず、駆動中の測定対象物１は、振動することにより音圧を発生するため、その音圧をマイクロフォン３で計測し、その計測された音圧は、データロギングシステムに収集されながら、計算機により時々刻々の振動加速度５Ａを計算し、この振動加速度５Ａをデータとしてメモリ５Ｂに格納される。
【００１４】
前記振動加速度５Ａは、前記故障予知システム６に入力され、この故障予知システム６においては、前記振動加速度５Ａに対して異常閾値ＴＨを図２のように設定しておき、比較の結果、算定された振動加速度５Ａが前記異常閾値ＴＨを越えれば、異常とみなして警報を発報するように構成されている。
すなわち、前記測定対象物１が駆動状態Ｂにある中で、ガタ等によって前記測定対象物１の振動が設定値よりも大となった時に、前述のように、前記故障予知システム６によって、異常状態が検出される。
【００１５】
本発明を実施するにあたり、事前に測定対象物１の付近の干渉しない位置にマイクロフォン３を設置する。そして、測定対象物１を駆動させて、データロギングシステム４で音圧データ４Ａを収集した後、音圧／振動加速度算定システム５で、収集された音圧データ４Ａより振動加速度データ５Ａを算出して、故障予知システム６内に記憶させておく。この手順をリアルタイムに実施することで、経時変化による故障予知を行う。
この中で、マイクロフォン３、データロギングシステム４は、市販のものを使用する。音圧／振動加速度算定システム５は、関係式としてａ＝２√２ｌ0πＰｅ／ｐＳに代入して振動加速度を算出する。ここで、ａは振動加速度(m/s2)、ｌ0は測定距離(m)、Ｐｅは音圧（実効値）(Pa)、ｐは空気の密度(kg/m3)、Ｓは断面積(m2)となる。この計算をリアルタイムに行いながら、時々刻々の算定した振動加速度データ５Ａを蓄積していく。
故障予知システム６では、音圧／振動加速度算定システム５で算定した振動加速度データ５Ａを用いて、事前に設定しておいた異常となる異常閾値ＴＨをこえた場合、図２、装置に異常を通知して、必要に応じて装置停止を促す。この故障システムは、上記のような単純な異常となる閾値による故障予知だけでなく、ロギングした振動加速度データ５Ａの統計的処理やＡＩ（人工知能）などを用いた学習予知などを用いて故障診断するなどの高度化も考えられる。
【００１６】
次に、本発明による非接触振動測定による故障診断装置及び方法の要旨とするところは、以下の通りである。
すなわち、駆動状態の測定対象物１の付近に設置されたマイクロフォン３と、前記マイクロフォン３に接続され、前記マイクロフォン３で得た前記測定対象物１の駆動中の音圧１Ａを収集するためのデータロギングシステム４と、前記データロギングシステム４に接続され、前記音圧１Ａを振動加速度５Ａに変換するための音圧／振動加速度算定システム５と、前記音圧／振動加速度算定システム５に接続され、前記振動加速度５Ａが予め設定された異常閾値ＴＨ以下か以上であるかを判定するための故障予知システム６と、を備え、前記測定対象物１の振動加速度５Ａを、前記測定対象物１に対して非接触状態で計測すると共に、計算を行いながら振動加速度データ５Ａを蓄積し、前記故障予知システム６では、音圧／振動加速度算定システム５で算定した振動加速度データ５Ａを用いて事前に設定しておいた異常となる異常閾値ＴＨをこえたことを検出する構成としたことを特徴とする非接触振動測定による故障診断装置であり、また、駆動状態の測定対象物１の付近に設置されたマイクロフォン３と、前記マイクロフォン３に接続され、前記マイクロフォン３で得た前記測定対象物１の駆動中の音圧１Ａを収集するためのデータロギングシステム４と、前記データロギングシステム４に接続され、前記音圧１Ａを振動加速度５Ａに変換するための音圧／振動加速度算定システム５と、前記音圧／振動加速度算定システム５に接続され、前記振動加速度５Ａが予め設定された異常閾値ＴＨ以下か以上であるかを判定するための故障予知システム６と、を用い、前記測定対象物１の振動加速度５Ａを、前記測定対象物１に対して非接触状態で計測すると共に、計算を行いながら振動加速度データ５Ａを蓄積し、前記故障予知システム６では、音圧／振動加速度算定システム５で算定した振動加速度データ５Ａを用いて事前に設定しておいた異常となる異常閾値ＴＨをこえたことを検出することを特徴とする非接触振動測定による故障診断方法である。
【産業上の利用可能性】
【００１７】
本発明による非接触振動測定による故障診断装置及び方法は、測定対象物の駆動状態を発生する音圧をマイクロフォンで捕捉して、その音圧を振動加速度のデータとして用いているため、測定対象物の良否を高精度に判定することができる。
【符号の説明】
【００１８】
１    測定対象物
１Ａ    音圧
２    装置
３    マイクロフォン
４    データロギングシステム
４Ａ    音圧データ
５    音圧／振動加速度算定システム
５Ａ    振動加速度
５Ｂ    メモリ
６    故障予知システム
ＴＨ    異常閾値
【図１】
0006396943.tif 000002
【図２】
0006396943.tif 000003